(57)【特許請求の範囲】
【請求項１】
光を出射する第１の発光手段と、該第１の発光手段によって出射された光を読取対象へ照射する照射手段と、該照射手段によって照射され、前記読取対象にて反射された光を受光する受光手段とを備えた光学式情報読取装置において、
前記第１の発光手段からの光とは異なる波長を有し、前記受光手段によって受光されない可視光を、前記照射手段により照射される光による読み取り範囲を示すガイド光として出射する第２の発光手段を備え、
前記照射手段は、前記第１の発光手段からの光を複数のライン方向に順次走査したマルチ走査パターンの光を前記読取対象に対して照射するよう構成されており、
前記第２の発光手段は、前記読み取り範囲と共に前記複数のライン方向のうち最も読み取り性能の高い方向を示すガイド光を出射するよう構成されていることを特徴とする光学式情報読取装置。
【請求項２】
請求項１に記載の光学式情報読取装置において、
前記ガイド光に青色、緑色又はそれらと同等の視感度を有する波長の光を用いたことを特徴とする光学式情報読取装置。
【請求項３】
請求項１又は２に記載の光学式情報読取装置において、
前記第２の発光手段は、発光ダイオードを用いて構成されていることを特徴とする光学式情報読取装置。
【請求項４】
請求項１〜３のいずれかに記載の光学式情報読取装置において、
前記第２の発光手段は、前記ガイド光を出射すると共に、前記ガイド光の点灯消灯・点滅によって装置の動作状態を示すよう構成されていることを特徴とする光学式情報読取装置。
【発明の詳細な説明】
【０００１】
【発明の属する技術分野】
本発明は、バーコードラベル等の読取対象に光を照射し、その反射光から読取対象の情報を読み取る光学式情報読取装置に関する。
【０００２】
【従来の技術及び発明が解決しようとする課題】
従来、装置に設けられた読取窓から例えばレーザ光などの走査光をバーコードラベルなどの読取対象へ向けて出射し、読取対象からの反射光によって読取対象の情報を読み取る光学式情報読取装置が知られている。
【０００３】
このような光学式情報読取装置の中には、読取窓から数ｃｍから数十ｃｍ離れた読取対象を読み取れるものがあった。このような装置としては、例えばレジのカウンタや物品が搬送されるコンベアに設置される定置式のものや、また、重量が重い等の理由で読取対象の付加された物品を移動させるのが困難な場合に、手に持って使用できる携帯式（手持ち式）のものが知られている。
【０００４】
このように読取窓からある程度離れた読取対象の情報を読み取る光学式情報読取装置では、読み取りに際し、例えば定置式の装置であれば、読取対象の付加された物品を移動させ、読取対象を走査光による走査範囲へ合わせる必要がある。また、携帯式の装置であれば、装置自体を移動させ、走査光による走査範囲を物品に付加された読取対象に合わせる必要がある。読取窓から出射された走査光の走査範囲は、一般的に走査光が赤色の可視光であるため、物品に走査ラインとして映し出される。このため、利用者は、この走査ラインをバーコード等の読取対象に合わせることになる。
【０００５】
ところが、周囲が比較的明るい状況下等ではこの走査ラインが視認しずらくなってしまう。また、赤色の可視光は視感度が低いことが知られている。結果として、走査光による走査範囲にバーコード等の読取対象を速やかに合わせることができない状況が生じ、読み取り作業効率を低下させる原因となっている。
【０００６】
この問題を解決する一手法として、走査範囲を照射するガイド光源を設けることが考えられる。しかしながら、走査範囲を照射するガイド光の波長が、読み取り用の光の波長と同一であると、ガイド光の反射光が読み取り用の光と同様に装置内の光学センサに感知されてしまい、読取対象の情報を正確に読み取ることができなくなってしまう。したがって、読み取り時には、ガイド光を消灯するという制御が必要となってくる。例えば読み取りを指示するトリガスイッチが押下されている読み取り期間内は、ガイド光が消灯されるようにしたり、あるいは、読み取り期間のうちで光学センサからの信号が有効とされる期間のみガイド光を消灯するという具合である。前者の場合は、読み取り期間内は読み取り範囲が全くガイドされなくなってしまう。また、後者の場合であっても、読み取り期間内にガイド光のオン・オフが繰り返されることによって、利用者の目にはガイド光が暗く映ることになる。したがって、読み取り作業効率の大幅な向上は実現されていなかった。
【０００７】
本発明は、このような問題点を解決するためになされたものであり、適切なガイド光の照射によって、読み取り作業効率の向上を図ることを目的とする。
【０００８】
【課題を解決するための手段及び発明の効果】
本発明の光学式情報読取装置では、第１の発光手段が読み取り用の光を出射し、この読み取り用の光が照射手段によってバーコード等の読取対象へ照射される。例えば、第１の発光手段はレーザダイオードを用いて構成されており、このレーザダイオードからのレーザ光が、回転駆動されるポリゴンミラー等から構成された照射手段によって走査され、読取対象へ照射されるという具合である。そして、受光手段が、読取対象からの反射光を受光し、その結果、読取対象の情報が読み取られる。ここで、受光手段は、例えば、凹面鏡（又は凸レンズ）、光学フィルタ、フォトダイオード等によって構成され、通常、凹面鏡（又は凸レンズ）にて集光された反射光は、光学フィルタを介しフォトダイオードへ入射する。したがって、光学フィルタを透過する所定範囲の波長の反射光のみがフォトダイオードへ入射することになる。
【０００９】
なお、読取対象は、バーコード等の１次元コードに限られず、２次元コードであっても構わない。このときは、照射手段によって読取対象全体に読み取り用の光が照射され、その反射光が、ＣＣＤイメージセンサ等から構成される受光手段によって読み取られる。
【００１０】
ここで特に、本発明の光学式情報読取装置においては、第２の発光手段が、第１の発光手段からの光とは異なる波長を有し、受光手段によって受光されない可視光を出射する。この光は、上述した照射手段により照射される光による読み取り範囲を示すガイド光として出射される。ここで、受光手段によって受光されない波長の可視光というのは、例えば受光手段がフォトダイオードを有する構成であれば、フォトダイオードにて感知されない波長の可視光であることが考えられる。また、上述したように受光手段が光学フィルタを有する構成であれば、その光学フィルタを透過しないような波長の可視光であることが考えられる。
【００１１】
本発明の光学式情報読取装置では、このように受光手段にて受光されない波長の光をガイド光として用いるため、読み取り期間におけるガイド光の消灯制御の必要がなくなる。つまり、第２の発光手段によるガイド光の照射タイミングには何等制限がなくなるのである。すなわち、読み取り期間内であっても、連続して読み取り範囲を示すガイド光を照射することができ、このガイド光を利用して利用者が読み取り作業を行えば、読み取り作業効率を向上させることができる。
ところで、従来より、定置式の光学情報読取装置においては、複数のライン方向に読取対象を走査するものが一般的である。例えばレジ等で物品に貼付されたバーコードを読み取る場合に、そのバーコードの配列方向によらず読み取れる可能性を高くするためである。従来、このような光学情報読取装置において、ガイド光は走査範囲全体に略円形形状に照射されていたため、利用者は、そのガイド光の照射領域内に適当にバーコードを翳すことになる。したがって、走査される複数のライン方向のいずれにもバーコードの配列方向が合わなければ、バーコードの読み取りが行われない状況が生じる。
そこで、本発明の光学式情報読取装置では、照射手段が、第１の発光手段からの光を複数のライン方向に順次走査したマルチ走査パターンの光を読取対象に対して照射するよう構成されており、第２の発光手段は、読み取り範囲と共に複数のライン方向のうち最も読み取り性能の高い方向を示すガイド光を出射するよう構成されている。例えば、最も読み取り性能の高い方向のレーザ光の走査範囲に重なるようなガイド光を出射するという具合である。その実現手段として、具体的には、スリットやレンズ等を用いて第２の発光手段を構成し、光源からの光をスリットやレンズを介して外部へ出射することによって、ガイド光の照射範囲が最も読み取り性能の高い方向の走査範囲に重なるようにすることが考えられる。
このように構成すれば、利用者は、読み取り範囲と共に、そのライン方向へ走査されることを知ることができるため、その走査方向にバーコードの配列方向を合わせることで確実にバーコードの読み取りを行うことができる。結果として、読み取り作業効率の向上が図られることになる。
また、上述したような複数の方向に読取対象を走査する光学式情報読取装置は、複数のミラー面を持つ多面反射鏡を用い、各ミラー面を介して複数のライン方向に読取対象を走査するのが一般的である。ここで各ミラー面の位置、角度等の違いから、複数の各ライン方向において、読み取り用の光の照射角度、光路の長さ、集光量が異なってくる。そのため、各ライン方向での読み取り性能は一律とならない。
そこで、本発明の光学式情報読取装置では、複数のライン方向のうち最も読み取り性能の高い方向を示すガイド光を出射するよう構成されている。これによって、利用者は、読み取り性能の高い走査方向を知ることができるため、その走査方向にバーコードの配列方向を合わせることで、より確実にバーコードの読み取りを行わせることができ、この場合も読み取り作業効率の向上が図られる。
【００１２】
このようにガイド光を読み取り期間に消灯する必要をなくし、読み取り範囲が明るく照らし出されるようにすることに加え、請求項２に示すように、ガイド光に青色、緑色、又はそれらと同等の視感度を有する波長の光を用いるとさらによい。
【００１３】
従来より、同じエネルギーの可視光であっても、特に、青色や緑色の可視光は視感度が高いことが知られている。したがって、青色、緑色あるいはそれらと同等の視感度を有する可視光をガイド光として出射するようにすれば、ガイド光の視認性のさらなる向上が図られるため、より確実に読み取り作業効率の向上に寄与する。
【００１４】
なお、第２の発光手段としては、請求項３に示すように、発光ダイオードを用いて構成することが考えられる。例えば青色、緑色の光を出射する高輝度発光ダイオードも近年安価に提供されるようになってきた。このため、このような発光ダイオードを用いて第２の発光手段を構成すれば、新たな光源を設けることに伴うコストアップを抑えることができる。
【００１５】
さらに、光学式情報読取装置のコストアップを抑えるという観点からは、請求項４に示す構成を採用することが考えられる。すなわち、その構成は、第２の発光手段が、ガイド光を出射すると共に、ガイド光の点灯・点滅によって装置の動作状態を示すよう構成されていることを特徴とするものである。
【００１６】
従来の光学式情報読取装置では、正常に読み取りが行われたか否かや、電源投入がなされ動作しているか否か等の光学式情報読取装置の動作状態を、発光ダイオードの点灯によって外部へ報知するものが一般的である。
そこで、第２の発光手段が、装置の動作状態をも示すように構成する。上述したように、読み取り動作に関し、第２の発光手段による光の出射タイミングには何等制限がない。したがって、第２の発光手段からの光の出射タイミングを光学式情報読取装置の動作状態に合わせて制御すれば、光学式情報読取装置の動作状態を報知することができる。例えば光学式情報読取装置に電源投入がなされ動作しているときには、第２の発光手段によって光が常時出射されるようにし、正常に読み取りが行われたときには、一瞬だけ第２の発光手段からの光が出射されないようにするという具合である。
【００１７】
このように第２の発光手段が装置の動作状態を報知するための光源を兼ねるようにすれば、動作状態を報知するための光源を設ける必要がなくなるため、光学式情報読取装置のコストアップをさらに抑えることができる。
【００２２】
【発明の実施の形態】
以下、本発明を具体化した一実施形態を図面を参照して説明する。
図１は、本発明が適用された実施形態のバーコード読取装置（以下「スキャナ」という。）１の概略構成を示す説明図である。バーコード読取装置１は、ポリゴンミラー及び多面反射鏡を用いてレーザ光を走査動作させてバーコードを読み取る定置式の装置である。
【００２３】
図１に示すように、本実施形態のスキャナ１は、ケース５内に、バーコードを読み取るための光学装置部８を収納することにより、バーコードを単体で読み取ることができるようになっている。ケース５は４つの側面を有する略直方体形状を成している。そして、一の側面上方には、光学装置部８から出射されたバーコード読取用のレーザ光を外部に出射し、且つ、そのレーザ光が外部のバーコードに当たって反射してくる反射光を光学装置部８に入射させるための読取窓５ａが形成されている。また、読取窓５ａが形成された面と対向する面の上方には、スキャナ１の動作状態を表示するための表示窓５ｂが形成され、その下方には、スキャナ１への電源供給及び光学装置部８で読み取られた情報を伝送するためのコード６が接続されている。
【００２４】
ここでケース５内の光学装置部８について説明する。図２に示すように、光学装置部８は、バーコード読取用の赤色のレーザ光を出射するレーザダイオード１２、レーザダイオード１２から出射されたレーザ光を反射する平面鏡１３、平面鏡１３で反射されたレーザ光を所定のライン方向に走査して読取窓５ａから外部に出射するための４面のポリゴンミラー１４、ポリゴンミラー１４を回転駆動するための駆動モータ１６、読取窓５ａから出射したレーザ光の反射光を集光する凹面鏡１８、凹面鏡１８により集光された反射光のうち所定範囲の波長の光のみを透過させる光学フィルタ１９、光学フィルタ１９を透過した反射光を受光して電気信号に変換するフォトダイオード２０及び５面の多面反射鏡２２を備える。
【００２５】
ここで、ポリゴンミラー１４は、４つのミラー面１４ａ〜１４ｄが側面に配置された略直方体形状を成している。そして、ポリゴンミラー１４の回転軸に対する各ミラー面１４ａ〜１４ｄの傾き角度（即ち、各ミラー面１４ａ〜１４ｄの面倒れ角度）は、夫々異なるように設定されている。また、ポリゴンミラー１４の回転軸は、駆動モータ１６に接続されており、ポリゴンミラー１４は、駆動モータ１６の回転により、一方向に回転駆動される。また、多面反射鏡２２の各ミラー面２２ａ〜２２ｅは、扇状に展開して配置されている。
【００２６】
そして、この光学装置部８では、図に一点鎖線で示すように、レーザダイオード１２から出射されたレーザ光が、駆動モータ１６により回転駆動されるポリゴンミラー１４に照射される。すると、ポリゴンミラー１４の回転に伴い各ミラー面１４ａ〜１４ｄで反射されるレーザ光が、ポリゴンミラー１４の回転方向に振られて、多面反射鏡２２の全てのミラー面２２ａ〜２２ｅに照射される。すると、レーザ光は、多面反射鏡２２の各ミラー面２２ａ〜２２ｅで夫々異なる方向に反射され、図３に示すように、位置及び角度の異なる複数ライン方向に順次走査されたマルチ走査パターンの走査光として、読取窓５ａから出射される。
【００２７】
尚、図３に示される走査光の各組における平行な４本の走査光は、ポリゴンミラー１４の４個のミラー面１４ａ〜１４ｄにより形成される。そして、多面反射鏡２２の各ミラー面２２ａ〜２２ｅの各々が、ポリゴンミラー１４の各ミラー面１４ａ〜１４ｄからのレーザ光を反射することにより、図３に示す如く４本１組の走査光が５組に別れる。よって、仮に、ポリゴンミラー１４の各ミラー面１４ａ〜１４ｄの面倒れ角を同じにした場合には、各組４本が同じ位置に出射されるので、その場合は、走査光の各組は見かけ上、１本ずつになる。
【００２８】
一方、このように読取窓５ａから出射されたレーザ光は、その先に物品があれば、その物品で反射される。そして、その反射光の一部は、読取窓５ａを通ってケース５内に入射し、レーザ光の出射時とは逆に、多面反射鏡２２の各ミラー面２２ａ〜２２ｅの何れかで反射されてから、ポリゴンミラー１４のミラー面１４ａ〜１４ｄの何れかにより反射される。そして、その反射光は、凹面鏡１８を介し、光学フィルタ１９を透過して、フォトダイオード２０に入射される。
【００２９】
このため、読取窓５ａからレーザ光を出射させた際、その読取窓５ａの前方に物品があり、その物品でレーザ光が反射されると、その反射光の一部がフォトダイオード２０に入射することになる。そして、その反射光が、物品に付されたバーコードＢＣからのものであれば、フォトダイオード２０からの出力レベルは、バーコードＢＣのバーの幅及び間隔に応じて変化し、フォトダイオード２０からの出力信号の変化パターンから、バーコードＢＣを読み取ることができる。
【００３０】
なお、光学読取部８はポリゴンミラー１４の回転角度を検出するための構成等（図示せず）を備えるが、光学読取部８の構成は、従来より周知であるため、詳しい説明は省略する。また、図１においては、レーザダイオード１２から出射された赤色のレーザ光が、平面鏡１３、ポリゴンミラー１４、多面反射鏡２２のミラー面２２ｃで順に反射されて外部へ出射されている様子を示している。ここで反射光が集光される様子については、図が煩雑になることを避けるために省略した。
【００３１】
そして、本実施形態のスキャナ１の特徴部分として、図１に示すように、ケース５内の光学装置部８の後方、すなわち読取窓５ａ側とは反対側に、ガイド光照射部４０が設けられている。このガイド光照射部４０は、高輝度発光ダイオード４１、レンズ４２、ホール板４３を備えている。なお、本実施形態では、ガイド光照射部４０を光学装置部８の後方に配置しているが、後述するように読取窓５ａから出射されるガイド光照射部４０からのガイド光が例えば光学装置部８の構成部品に遮られず、かつ、光学装置部８によるレーザ光の走査及び反射光の受光を妨げないような位置であれば特にその配置場所は限定されない。
【００３２】
高輝度発光ダイオード４１は、上向きに光を照射するようケース５内の後方中央部に配置されており、上述した光学読取部８のレーザダイオード１２とは異なる波長の青色の可視光を出射する。なお、高輝度発光ダイオード４１から出射される光の波長は、上述した光学読取部８の光学フィルタ１９を透過しない波長となっている。
【００３３】
高輝度発光ダイオード４１の上部にはレンズ４２が配置され、高輝度発光ダイオード４１から出射された光は、レンズ４２によって集光されて外部へ出射される。レンズ４２は、その上部に傾斜面４２ａを有しており、レンズ４２の下部から入射する高輝度発光ダイオード４１からの光の大部分は、この傾斜面４２ａで反射され、読取窓５ａ方向に出射される。また、レンズ４２は、スキャナ１の動作状態を知らせるための表示窓５ｂにその一部がはめ込まれており、高輝度発光ダイオード４１からの光の一部を表示窓５ｂから外部へ出射する。
【００３４】
ホール板４３は、レンズ４２に対し読取窓５ａ側に配置されている。ホール板４３には、光の照射領域を制限するための略楕円形形状のホール４３ａが形成されており、レンズ４２を介して読取窓５ａ方向に出射された高輝度発光ダイオード４１からの光は、ホール板４３に形成されたホール４３ａを通って読取窓５ａから外部へ出射され、図４に二点鎖線で示すような、上述した光学読取部８の走査範囲に重なるような楕円形形状の領域に照射される。
【００３５】
ガイド光照射部４０の高輝度発光ダイオード４１は、スキャナ１に電源が投入され、スキャナ１が動作している期間は、原則として常時点灯されるようになっている。したがって、上述したような光学読取部８によるバーコードの読み取り期間においても点灯されることになる。そして、光学読取部８によって、バーコードが正常に読み取られた場合、一瞬だけ消灯されるようになっている。これによって、利用者は、スキャナ１に電源が投入されスキャナ１が動作しているか否か、正常にバーコードの読み取られたか否かというスキャナ１の動作状態をこの表示窓５ｂから出射される高輝度発光ダイオード４１の光によって知ることができる。
【００３６】
次に、本実施形態のスキャナ１の発揮する効果を説明する。
本実施形態のスキャナ１では、図４に二点鎖線で示すような光学読取部８による走査範囲に重なるようなガイド光を照射するガイド光照射部４０を設けた。ここでガイド光照射部４０の高輝度発光ダイオード４１から出射される光（ガイド光）は、光学読取部８の光学フィルタ１９を透過しない波長となっている。したがって、ガイド光の反射光がフォトダイオード２０に入射することはない。そのため、光学読取部８によるバーコード読み取り期間においても、高輝度発光ダイオード４１を消灯させる必要がない。つまり、ガイド光照射部４０の高輝度発光ダイオード４１の点灯・消灯のタイミングには何等制限がなくなるのである。すなわち、光学読取部８による読み取り期間内であっても、連続して読み取り範囲を示すガイド光を照射することができ、このガイド光を利用して利用者が読み取り作業を行えば、読み取り作業効率を向上させることができる。
【００３７】
さらに、ガイド光照射部４０の高輝度発光ダイオード４１は、視感度の高い青色の可視光を出射する。同じエネルギーの可視光を比較した場合に、青色や緑色の可視光は視感度が高い。したがって、ガイド光の視認性のさらなる向上が図られ、利用者はガイド光の照射領域を確実に認識できるため、この点でも、読み取り作業効率を向上させることができる。
【００３８】
また、従来のスキャナでは、正常に読み取りが行われたか否かや、電源が投入され動作しているか否か等のスキャナの動作状態を利用者が把握できるように、読み取り用の光を出射する光源とは別の光源を設けていた。
これに対して、本実施形態のスキャナ１では、ガイド光照射部４０の高輝度発光ダイオード４１を、スキャナ１の動作状態を示すための光源をとしても利用するようにした。上述したように、ガイド光照射部４０の高輝度発光ダイオード４１の点灯・消灯のタイミングには何等制限がないからである。このようにガイド光照射部４０の高輝度発光ダイオード４１が、スキャナ１の動作状態を報知するための光源を兼ねるようにしたため、動作状態を報知するための光源を新たに設ける必要がない。
【００３９】
加えて、ガイド光照射部４０の光源として、近年比較的安価に提供されるようになってきた高輝度発光ダイオード４１を用いている。
したがって、スキャナ１のコストアップを抑えることができ、経済面においても有利となっている。
【００４０】
以上、本発明はこのような実施形態に何等限定されるものではなく、本発明の主旨を逸脱しない範囲において種々なる形態で実施し得る。
例えば、上記実施形態では、ガイド光照射部４０のホール板４３に略楕円形形状のホール４３ａを形成し、このホール４３ａを介して高輝度発光ダイオード４１からの光を照射することによって、光学読取部８によるバーコードの走査範囲に重なるような略楕円形形状の領域にガイド光が照射されるようにしていたが、ガイド光の照射領域は、それ以外の形状、例えば長方形形状であってもよい。さらに、ガイド光の照射領域について、以下のような工夫をしてもよい。
【００４１】
上記実施形態において、利用者は、物品に付加されたバーコードをガイド光の照射領域に翳すのであるが、このとき、バーコードの配列方向については適当な方向へ向けることになる。ところが、光学読取部８によって走査される５つのライン方向のいずれにも、読取対象のバーコードの配列方向が合わず、バーコードの情報が読み取れない場合も考えられる。
【００４２】
そこで、ガイド光照射部４０のホール板４３に形成するホールの形状を工夫することによって、５つのライン方向毎の各走査範囲に重なるようなガイド光を照射するようにしてもよい。例えば図５（ａ）に二点鎖線で示す如くである。このようにすれば、利用者は、読み取り範囲と共に、光学読取部８による走査方向を知ることができるため、その走査方向にバーコードの配列方向を合わせることで確実にバーコードの読み取りを行うことができる。結果として、読み取り作業効率の向上が図られる。
【００４３】
また、スキャナ１では、５つのミラー面２２ａ〜２２ｅを持つ多面反射鏡２２を用い、各ミラー面２２ａ〜２２ｅを介して５つのライン方向に読取対象を走査する。そのため、各ミラー面２２ａ〜２２ｅの位置、角度等の違いによって、５つの各ライン方向では、読み取り用の光の照射角度、光路の長さ、集光量が異なってくる。したがって、一般的に多面反射鏡２２中央に配置されたミラー面２２ｃを介する走査方向で最も読み取り性能が高くなる。
【００４４】
そこで、ガイド光照射部４０のホール板４３に、略楕円形形状のホール４３ａに代え、スリットを形成し、５つの走査方向の走査範囲のうち最も読取性能の高い走査範囲を示すようなガイド光を照射するようにしてもよい。例えば図５（ｂ）に二点鎖線で示す如くである。このようにすれば、利用者は、読み取り性能の高い走査方向を知ることができるため、その走査方向にバーコードの配列方向を合わせれば、より確実にバーコードの読み取りを行わせることができ、読み取り作業効率の向上が図られる。
【００４５】
なお、上記実施形態のスキャナ１は、５つのライン方向へ走査するものであったが、走査方向の数は特に限定されるものではない。５方向よりも多くのライン方向へ走査するものであってもよいし、あるいは、逆に５方向よりも少ないライン方向へ走査するものであってもよい。ここで、走査方向の数が少なくなればなあるほど、バーコードを適当な方向へ向けて走査範囲に翳したとき、走査されるライン方向のいずれにも読取対象のバーコードの配列方向が合わず、バーコードの情報が読み取れない可能性が高くなると考えられる。
【００４６】
したがって、特に走査方向の数が少ない場合は、上述したように各ライン方向毎の各走査範囲に重なるようなガイド光を照射するようにすると、その走査方向にバーコードの配列方向を合わせることで確実にバーコードの読み取りを行うことができるため、特に有効である。
【００４７】
さらにまた、上記実施形態のスキャナ１は、レーザ光を走査してバーコードの情報を読み取る定置式のものであったが、本発明を、携帯式と呼ばれるハンディタイプのものに適用することも当然可能である。また、レーザ光を走査してバーコード等の１次元コードを読み取るものでなく、読取対象全体に光を照射し、その反射光から読取対象の画像をＣＣＤイメージセンサで読み取るようなものにも適用できる。さらに、上記実施形態では赤色のレーザ光を読み取り用の光として使用していたが、赤色以外の光を読み取り用の光として用いても構わない。
【００４８】
また、上記実施形態のスキャナ１では、ガイド光に青色の光を用いていたが、読み取り用の光と異なる波長を有し、光学読取部８にて感知されない可視光であれば、何色であってもよい。ただし、青色、緑色が特に視認性が高いことを考えれば、青色、緑色又はそれらと同等の視感度を有する波長の光をガイド光として用いることによって、ガイド光の視認性がより高くなる点で有利である。
【図面の簡単な説明】
【図１】実施形態のバーコード読取装置の概略構成を示す説明図である。
【図２】バーコード読取装置の光学読取部を示す説明図である。
【図３】光学読取部による走査ラインを示す説明図である。
【図４】ガイド光照射部によるガイド光の照射領域を示す説明図である。
【図５】別実施形態におけるガイド光の照射領域を示す説明図である。
【符号の説明】
１…バーコード読取装置（スキャナ）
５…ケース                          ５ａ…読取窓
５ｂ…表示窓                        ６…コード
８…光学読取部                    １０…電気回路部
１２…レーザダイオード              １３…平面鏡
１４…ポリゴンミラー                １４ａ〜１４ｄ…ミラー面
１６…駆動モータ                    １８…凹面鏡
１９…光学フィルタ                  ２０…フォトダイオード
２２…多面反射鏡                    ２２ａ〜２２ｅ…ミラー面
４０…ガイド光照射部                ４１…高輝度発光ダイオード
４２…レンズ                        ４２ａ…傾斜面
４３…ホール板                      ４３ａ…ホール
【図１】
0003952613.tif 000002
【図２】
0003952613.tif 000003
【図３】
0003952613.tif 000004
【図４】
0003952613.tif 000005
【図５】
0003952613.tif 000006